(57)【特許請求の範囲】
【請求項１】
空気調和機の吹出し口に設けられ、回動して調和空気の吹出し方向を調整する上下風向調整板と、前記上下風向調整板に取り付けられて軸方向にスライドする支持軸を有した可動軸片と、前記可動軸片の支持軸が可動して挿入される前記上下風向調整板の側板に設けられた支持軸貫通穴とを備え、前記支持軸が前記空気調和機本体の軸受穴を介して前記支持軸貫通穴に挿入されて前記上下風向調整板が係合固定されるとともに、前記可動軸片に設けた保持片と前記上下風向調整板に設けた係止片によって必要以上の動きを規制するように構成したことを特徴とする上下風向調整板の着脱装置。
【請求項２】
可動軸片に設けた切り欠き部によって円弧状の凸部が弾性変形するように構成したことを特徴とする請求項１に記載の上下風向調整板の着脱装置。
【請求項３】
空気調和機の吹出し口に設けられ、回動して調和空気の吹出し方向を調整する上下風向調整板と、前記上下風向調整板に取り付けられて軸方向にスライドする支持軸を有した可動軸片と、前記可動軸片の支持軸が可動して挿入される前記上下風向調整板の側板に設けられた支持軸貫通穴とを備え、前記支持軸が前記空気調和機本体の軸受穴を介して前記支持軸貫通穴に挿入されて前記上下風向調整板が係合固定されるとともに、前記可動軸片を上下風向調整板の断面に沿わせた形状としたことを特徴とする上下風向調整板の着脱装置。
【請求項４】
可動軸片を上下風向調整板と異なる色で形成したことを特徴とする請求項１乃至請求項３のいずれかに記載の上下風向調整板の着脱装置。
【請求項５】
可動軸片を摺動性の良い材質で形成したことを特徴とする請求項１乃至請求項４のいずれかに記載の上下風向調整板の着脱装置。
【請求項６】
可動軸片が取り付けられた上下風向調整板を吹出し口から取り外して、埃等が付着した前記上下風向調整板を清掃可能としたことを特徴とする請求項１乃至請求項５のいずれかに記載の上下風向調整板の着脱装置。
【発明の詳細な説明】
【０００１】
【発明の属する技術分野】
本発明は、空気調和機の吹出し風向を変化させる上下風向調整板に係わり、特に清掃等での上下風向調整板の着脱に関するものである。
【０００２】
【従来の技術】
従来のこの種の上下風向調整板の固定装置としては、例えば特開平５−１８７７０８号公報に記載された技術がある。図７は、従来の空気調和機の上下風向調整板の固定構造を表す分解斜視図である。
図８において、１は樹脂によって形成されている吹出し口、２はこの吹出し口１の前部に取り付けられ上下に風向偏向する上下風向調整板である。この上下風向調整板２の一端には駆動用モーター３と連結する回転軸４が一体で設けられ、この回転軸４には駆動用モーター３の駆動軸を差し込むＤ形穴５が形成されている。吹出し口１の一側部に設けられた駆動軸貫通穴６を介して上下風向調整板２の回転軸４と駆動用モーター３とが連結している。また、上下風向調整板２の他端には上下風向調整板２を吹出し口１に支持する回転軸７が一体で設けられている。８は軸受部で、上下風向調整板２の他端側の回転軸７を軸支するものであり、吹出し口１の他側部に設けられた軸受固定穴９に軸受部８の固定部１０を嵌め込んで取り付ける。
【０００３】
次に、動作について説明する。空気調和機内部で熱交換された空気は吹出し口１より吹き出される。このとき、駆動用モーター３が駆動することにより連結された上下風向調整板２が回転軸４、７を支点として回転または揺動し、吹出し口１から吹出された空気は、上下方向へ風向を調整される。
【０００４】
【発明が解決しようとする課題】
空気調和機を長期間運転し吹出し口部や上下風向調整板に埃や臭いが付着して吹出し口内部の風路壁またはラインフローファンや上下風向調整板を清掃しようとしたときに、上下風向調整板を外す必要が出てくる。しかし、従来の上下風向調整板の固定構造は前述のように構成されているため、上下風向調整板を本体の吹出し口から取り外すためには上下風向調整板を湾曲させて回転軸の係りを外すか、または駆動用モーターと軸受部を取り外してから上下風向調整板を外すことになり、どちらにしても一般ユーザーには困難な作業となっていた。
【０００５】
この発明は上記のような問題点を解決するためになされたもので、一般ユーザーでも容易に上下風向調整板を着脱することができる上下風向調整板の着脱装置を提供することを目的としている。
【０００６】
【発明が解決しようとする課題】
本発明の請求項１に係る上下風向調整板の着脱装置は、空気調和機の吹出し口に設けられ、回動して調和空気の吹出し方向を調整する上下風向調整板と、前記上下風向調整板に取り付けられて軸方向にスライドする支持軸を有した可動軸片と、前記可動軸片の支持軸が可動して挿入される前記上下風向調整板の側板に設けられた支持軸貫通穴とを備え、前記支持軸が前記空気調和機本体の軸受穴を介して前記支持軸貫通穴に挿入されて前記上下風向調整板が係合固定されるとともに、前記可動軸片に設けた保持片と前記上下風向調整板に設けた係止片によって必要以上の動きを規制するように構成したものである。
【０００８】
本発明の請求項２に係る上下風向調整板の着脱装置は、可動軸片に設けた切り欠き部によって円弧状の凸部が弾性変形するように構成したものである。
【０００９】
本発明の請求項３に係る上下風向調整板の着脱装置は、空気調和機の吹出し口に設けられ、回動して調和空気の吹出し方向を調整する上下風向調整板と、前記上下風向調整板に取り付けられて軸方向にスライドする支持軸を有した可動軸片と、前記可動軸片の支持軸が可動して挿入される前記上下風向調整板の側板に設けられた支持軸貫通穴とを備え、前記支持軸が前記空気調和機本体の軸受穴を介して前記支持軸貫通穴に挿入されて前記上下風向調整板が係合固定されるとともに、前記可動軸片を上下風向調整板の断面に沿わせた形状としたものである。
【００１１】
本発明の請求項４に係る上下風向調整板の着脱装置は、可動軸片を上下風向調整板と異なる色で形成したものである。
【００１２】
本発明の請求項５に係る上下風向調整板の着脱装置は、可動軸片を摺動性の良い材料で形成したものである。
【００１４】
本発明の請求項６に係る上下風向調整板の着脱装置は、可動軸片が取り付けられた上下風向調整板を吹出し口から取り外して、埃等が付着した前記上下風向調整板を清掃可能としたものである。
【００１５】
【発明の実施の形態】
実施の形態１．
以下、本発明の実施の形態１について図１〜図６にて説明する。図１は空気調和機の断面説明図、図２は上下風向調整板の着脱装置を示す斜視図、図３は上下風向調整板の駆動装置側における着脱装置の要部拡大斜視図、図４は上下風向調整板の反駆動装置側における着脱装置の要部拡大斜視図、図５は上下風向調整板の中央部における着脱装置の要部拡大斜視図、図６は上下風向調整板の着脱装置を示す正面図である。
【００１６】
図において、１は空気調和機本体１１の下方に設けられた吹き出し口、２は吹き出し口１に設けられた上下方向へ風向きを変える上下風向調整板、３０は空気調和機本体１１の内部に収納されてグリル３４から吸い込んだ空気を冷却したり暖めたりする熱交換器であって伝熱管とその周囲を取りまくフィンからなり、この熱交換器は圧縮機や膨張装置などの冷凍サイクルの一部を構成し、この伝熱管の内部を冷凍サイクルを循環する冷媒が流れ空気と温冷熱を交換している。３１はモーターにより駆動されて回転し吸い込んだ空気を吹き出し口１から吹出す送風機であるラインフローファン、３２は風路３３を形成するケーシング、３５は熱交換器３０の表面に発生する水滴を保持するドレンパン、３６はフィルターである。
【００１７】
図１においてモータにより駆動されるラインフローファン３１が回転すると室内の空気を空気調和機本体１１の前面に取付けたグリル３４から吸い込んでフィルター３６にて埃などが除去される。吸い込まれた空気は熱交換器３０の板状フィンの間を通り空気と冷媒の間で熱交換されて空気は冷却または温められる。吸い込まれた空気中の埃や油はフィルター３６で取り除かれるが、ここで除去できない分は熱交換器３０やラインフローファン３１の羽根部分、ケーシング３２の表面部分、上下風向調整板２の表面部分等通風回路の各個所に付着しへばりつく。
【００１８】
図２は上下風向調整板の着脱装置の全体を示している斜視図であり、上下風向調整板２の図上左端部及び中央部にそれぞれ可動軸片１７が設けられている。また、上下風向調整板２の右端部にはＤ形穴５を有した側板１２が設けられている。一方、空気調和機本体１１の下方に位置する吹き出し口１には、前記上下風向調整板２に取り付けられた可動軸片１７に対応した位置で、吹き出し口左壁面の軸受穴２６および吹き出し口中央部上壁より伸張した支持腕２８に設けた軸受穴２７が設けられている。
【００１９】
図３は上下風向調整板２の駆動装置側における着脱装置の要部拡大斜視図であり、上下風向調整板２の一端に駆動用モータ３と連結するための側板１２が設けられている。１３は駆動用モータ３の回転を上下風向調整板２に伝達するための継手部材であり、その一端が駆動用モータ３の駆動軸に挿入され、他端面がＤ形に形成され吹き出し口１の側壁に設けられた駆動軸貫通穴６を介して側板１２に設けられたＤ形穴５に挿入され、上下風向調整板２と駆動用モータ３が連結される。この継手部材１３は一目で操作部と判るように上下風向調整板２とは別色でかつポリアセタール等の摺動性の良い材質で形成されている。
【００２０】
図４は上下風向調整板２の反駆動装置側における着脱装置の要部拡大斜視図であり、上下風向調整板２の他端に側板１４とその側板１４に隣接するようにガイドレール１５が設けられている。このガイドレール１５を中心にして前後に２つの係止片１６が設けられている。１７は可動軸片で、一端部に支持軸１８、他端部に取手部１９、ガイドレール１５とかん合するガイド溝２０、係止片１６と係合する保持片２１、円弧状の凸部２２、切り欠き部２３によって構成されている。支持軸１８が側板１４に設けられた支持軸貫通穴２４に挿入され、ガイドレール１５とガイド溝２０がかん合しながら係止片１６によって可動軸片１７は上下風向調整板２に固定される。この可動軸片１７は一目で操作部と判るように上下風向調整板２とは別色でかつ、ポリアセタール等の摺動性の良い材質で形成され、空気抵抗が少ないように上下風向調整板２の断面形状に沿った形状で形成されている。
【００２１】
図５は上下風向調整板２の中央部における着脱装置の要部拡大斜視図であり、２５は上下風向調整板の中心に設けられた中板で側板１４同様に支持軸貫通穴２４が設けられ、ガイドレール１５及び係止片１６が隣接され可動軸片１７が固定される。吹き出し口１の他側部には軸受穴２６、吹き出し口１の中央部には軸受穴２７を有した支持腕２８が設けられ、上下風向調整板２に固定された可動軸片１７の支持軸１８がこの軸受穴２６、２７に挿入されて、上下風向調整板２が吹き出し口１に固定される。２９は中板２５に隣接された位置決め板であり、支持腕２８が中板２５と位置決め板２９の間に挿入されるように配置されており、上下風向調整板２の吹き出し口１に対する左右方向の位置が規制されている。
【００２２】
上下風向調整板２の左右の側板１２、１４の２カ所だけでも吹き出し口に固定できるが、上下風向調整板２の全長や断面形状によっては中心部がたわんでしまう可能性があり、左右の側板１２、１４と中板２５の３カ所で固定する構成としている。なお、空気調和機本体１１の横幅寸法がかなり大きい場合は中板２５が２カ所以上で固定する構成となる。
【００２３】
図６は上下風向調整板２の着脱装置の正面図であり、この図に基づいて着脱方法を説明する。上下風向調整板２を吹き出し口１から取り外す場合は、上下風向調整板２に固定された可動軸片１７の取手部１９を反支持軸側にスライドさせ支持軸１８の軸受穴２６及び２７への係りを外す。そして、凸部２２が係止片１６を乗り越えるときに、図６のように切り欠き部２３によって変形しながら乗り越えるため、ある程度のクリック感を感じることにより着脱の可否を知らせることができる。また、保持片２１によって必要以上の動きを規制している。
【００２４】
そして、反駆動用モータ側と中央が上記の操作で外れた後は、上下風向調整板２を反駆動用モータ側にスライドさせて継手部材１３のＤ形穴５への係りを外して、上下風向調整板２を吹き出し口１から取り外すことが可能となる。
また、取付けについては、上述の操作の逆順序で実施すればよい。
【００２５】
実施の形態２．
次に図７において、本発明の実施の形態２を説明する。図７は上下風向調整板２の着脱装置の要部断面図であり、３０はコイルスプリングである。コイルスプリング３０は可動軸片１７と上下風向調整板２の側板１４との間に取付けられており、可動軸片１７が常に側板１４側に密着するように固定されている。
【００２６】
上下風向調整板２を吹き出し口１から取り外すには、コイルスプリング３０を伸ばしながら支持軸１８の係りを外すことになるが、取付けのときは常に支持軸１８が正規位置まで突出するため軸受穴２６に対して不完全な挿入となることはなく、確実な取付け作業が可能となる。
【００２７】
【発明の効果】
本発明の請求項１に係る上下風向調整板の着脱装置は、空気調和機の吹出し口に設けられ、回動して調和空気の吹出し方向を調整する上下風向調整板と、前記上下風向調整板に取り付けられて軸方向にスライドする支持軸を有した可動軸片と、前記可動軸片の支持軸が可動して挿入される前記上下風向調整板の側板に設けられた支持軸貫通穴とを備え、前記支持軸が前記空気調和機本体の軸受穴を介して前記支持軸貫通穴に挿入されて前記上下風向調整板が係合固定されるとともに、前記可動軸片に設けた保持片と前記上下風向調整板に設けた係止片によって必要以上の動きを規制するように構成したので、可動軸片をスライドさせて支持軸の係りを外すだけで上下風向調整板を吹き出し口から着脱でき、誰でも容易にかつ確実に上下風向調整板を着脱できるとともに、誤って可動軸片が外れてしまうことがなく、信頼性の高い上下風向調整板を得ることができる。
【００２９】
本発明の請求項２に係る上下風向調整板の着脱装置は、可動軸片に設けた切り欠き部によって円弧状の凸部が弾性変形するように構成したので、可動軸片の必要動作量がクリック感で分かり支持軸の不完全挿入が防止できる効果を奏する。
【００３０】
本発明の請求項３に係る上下風向調整板の着脱装置は、空気調和機の吹出し口に設けられ、回動して調和空気の吹出し方向を調整する上下風向調整板と、前記上下風向調整板に取り付けられて軸方向にスライドする支持軸を有した可動軸片と、前記可動軸片の支持軸が可動して挿入される前記上下風向調整板の側板に設けられた支持軸貫通穴とを備え、前記支持軸が前記空気調和機本体の軸受穴を介して前記支持軸貫通穴に挿入されて前記上下風向調整板が係合固定されるとともに、前記可動軸片を上下風向調整板の断面に沿わせた形状としたので、可動軸片をスライドさせて支持軸の係りを外すだけで上下風向調整板を吹き出し口から着脱できるとともに、空気抵抗が少なく上下風向調整板表面への着露がなく信頼性の高い空気調和機を得ることができる。
【００３２】
本発明の請求項４に係る上下風向調整板の着脱装置は、可動軸片を上下風向調整板と異なる色で形成したので、誰が見ても一目で操作部が判り説明書なしでも着脱操作ができる効果を奏する。
【００３３】
本発明の請求項５に係る上下風向調整板の着脱装置は、可動軸片を摺動性の良い材質で形成したので、操作時に摺動部からの異音の発生がなく、信頼性の高い空気調和機を得ることができる。
【００３５】
本発明の請求項６に係る上下風向調整板の着脱装置は、可動軸片が取り付けられた上下風向調整板を吹き出し口から取り外して、埃等が付着した前記上下風向調整板を清掃可能としたので、上下風向調整板とともに可動軸片を含む着脱装置に付着しへばりついた埃等も清掃できる。
【図面の簡単な説明】
【図１】本発明の実施の形態１に係わる空気調和機の断面図である。
【図２】本発明の実施の形態１に係わる上下風向調整板の着脱装置を示す斜視図である。
【図３】本発明の実施の形態１に係わる上下風向調整板の駆動装置側における着脱装置の要部拡大斜視図である。
【図４】本発明の実施の形態１に係わる上下風向調整板の反駆動装置側における着脱装置の要部拡大斜視図である。
【図５】本発明の実施の形態１に係わる上下風向調整板の中央部における着脱装置の要部拡大斜視図である。
【図６】本発明の実施形態１に係わる上下風向調整板の着脱装置を示す正面図である。
【図７】本発明の実施の形態２に係わる上下風向調整板の着脱装置の要部断面図である。
【図８】従来の上下風向調整板の着脱を示す斜視図である。
【符号の説明】
１  吹出し口、２  上下風向調整板、３  駆動用モーター、４  Ｄ形穴、５  Ｄ形穴、６  駆動軸貫通穴、７  回転軸、８  軸受部、９  軸受固定穴、１０  固定部、１１  空気調和機本体、１２  側板、１３  継手部材、１４  側板、１５  ガイドレール、１６  係止片、１７  可動軸片、１８  支持軸、１９  取手部、２０  ガイド溝、２１  保持片、２２  凸部、２３  切り欠き部、２４  支持軸貫通穴、２５  中板、２６  軸受穴、２７  軸受穴、２８  支持腕、２９  コイルスプリング、３０  熱交換器、３１  ラインフローファン、３２  ケーシング、３３  風路、３４  グリル、３５  ドレンパン、３６  フィルター。
【図１】
0003608488.tif 000002
【図２】
0003608488.tif 000003
【図３】
0003608488.tif 000004
【図４】
0003608488.tif 000005
【図５】
0003608488.tif 000006
【図６】
0003608488.tif 000007
【図７】
0003608488.tif 000008
【図８】
0003608488.tif 000009